(57)【特許請求の範囲】
【請求項１】
蓋中心部に含油廃水の導入口と容器底面中心部に廃水の排出口を備えた蓋付き容器内に、含油廃水の流通孔を備えた固形分貯留槽と、固形分貯留槽の内側に配置される脚部付き水流調整筒と、水流調整筒の上側に配置される含油廃水の通路を備えた油吸着槽とからなる含油廃水処理装置であって、
前記油吸着槽が、油分は透過するが油吸着剤は透過しない壁面で形成された油吸着剤の収容槽であること、を特徴とする前記装置。
【請求項２】
前記脚部付き水流調整筒が、下端部に廃水を流通させうる脚部と上端部に油吸着槽用支持部とを備えた筒状体である、請求項１に記載の含油廃水処理装置。
【請求項３】
蓋中心部に含油廃水の導入口と容器底面中心部に廃水の排出口を備えた蓋付き容器内に、含油廃水の流通孔を備えた固形分貯留槽と、固形分貯留槽の内側に配置される脚部付き水流調整筒と、油吸着槽支持部材と、水流調整筒の上側に配置される含油廃水の通路を備えた油吸着槽とからなる含油廃水処理装置であって、
前記油吸着槽が、油分は透過するが油吸着剤は透過しない壁面で形成された油吸着剤の収容槽であること、を特徴とする前記装置。
【請求項４】
前記脚部付き水流調整筒が、下端部に廃水を流通させうる脚部を備えた筒状体である、請求項３に記載の含油廃水処理装置。
【請求項５】
前記固形分貯留槽が、外底面に廃水を流通させうる脚部と底面中心に含油廃水の流通孔を備えた固形分貯留槽である、請求項１〜４のいずれか一項に記載の含油廃水処理装置。
【請求項６】
前記油吸着槽の壁面が金網製である、請求項１〜５のいずれか一項に記載の含油廃水処理装置。
【請求項７】
前記油吸着槽の壁面が多数のパンチング孔を有する、請求項１〜５のいずれか一項に記載の含油廃水処理装置。
【発明の詳細な説明】
【０００１】
【発明の属する技術分野】
本発明は、油分や固形分などを含有する廃水を効率的に浄化する簡易な装置に関する。
【０００２】
【従来の技術】
飲食料理店、ファーストフード店、レストラン、ホテル、食品加工場などの小規模事業所における厨房廃水には、様々の水質汚濁物質が含まれている。このような廃水を何ら処理することなく排水すると、廃水中の油分などが排水管に付着して固まり、詰まらせたりするだけでなく、合併処理槽や下水処理場での水の浄化処理を困難にし、また、環境に悪影響を及ぼし、法的規制を受けて、営業を続けることができなくなる事態ともなり得る。
そこで、油分や沈殿物、浮遊物などの固形分を含む廃水を排出事業所単位で処理する方法、装置が種々提案されており、これらの技術は大きく分けて２つのグループに分類される。
すなわち、第１のグループは、廃水中の油分などを微生物で分解処理する方法、装置である。しかし、この方法、装置では、油分分解の速度が遅いため分解効率が悪く、また、微生物の管理に配慮しなければならず、複雑な設備が必要であった。
第２のグループは、廃水をプールし、浮いている上層の油分を汲み出したり、吸着剤で吸着してロ過する等により、廃水中の油分などを物理的に除去する方法、装置である。しかし、この方法、装置では、廃水（のプール）から悪臭が発生したり、油分の分離、除去が不完全となりやすく、また、大型のシステム、設備が必要であった。
【０００３】
【発明が解決しようとする課題】
最近の環境問題に対する社会の流れに対応して、含油廃水を排水する前記の各小規模事業所において採用可能な、効率的で経済的な処理技術が要望されている。
【０００４】
本発明は、含油廃水を排出する小規模事業所等において、廃水から油分や沈殿物、浮遊物などの固形分を効率的に除去して浄化することのできる、構造の簡易な小型の装置を提供することを目的とする。
【０００５】
【課題を解決するための手段】
前記目的を達成するため、本発明は、蓋中心部に含油廃水の導入口と容器底面中心部に廃水の排出口を備えた蓋付き容器内に、含油廃水の流通孔を備えた固形分貯留槽と、固形分貯留槽の内側に配置される脚部付き水流調整筒と、水流調整筒の上側に配置される含油廃水の通路を備えた油吸着槽とからなる含油廃水処理装置であって、前記油吸着槽が、油分は透過するが油吸着剤は透過しない壁面で形成された油吸着剤の収容槽であること、を特徴とする前記装置である。
【０００６】
本発明は、前記脚部付き水流調整筒が、下端部に廃水を流通させうる脚部と上端部に油吸着槽用支持部とを備えた筒状体である、前記の含油廃水処理装置である。
【０００７】
本発明は、蓋中心部に含油廃水の導入口と容器底面中心部に廃水の排出口を備えた蓋付き容器内に、含油廃水の流通孔を備えた固形分貯留槽と、固形分貯留槽の内側に配置される脚部付き水流調整筒と、油吸着槽支持部材と、水流調整筒の上側に配置される含油廃水の通路を備えた油吸着槽とからなる含油廃水処理装置であって、前記油吸着槽が、油分は透過するが油吸着剤は透過しない壁面で形成された油吸着剤の収容槽であること、を特徴とする前記装置である。
【０００８】
本発明は、前記脚部付き水流調整筒が、下端部に廃水を流通させうる脚部を備えた筒状体である、前記の含油廃水処理装置である。
【０００９】
本発明は、前記固形分貯留槽が、外底面に廃水を流通させうる脚部と底面中心に含油廃水の流通孔を備えた固形分貯留槽である、前記の各含油廃水処理装置である。
【００１０】
本発明は、前記油吸着槽の壁面が金網製である、前記の各含油廃水処理装置である。
【００１１】
また本発明は、前記油吸着槽の壁面が多数のパンチング孔を有する、前記の各含油廃水処理装置である。
【００１２】
【発明の実施の形態】
以下、本発明の実施の形態を図面に基づいて説明する。
図１は、本発明の第１実施例の含油廃水処理装置の側断面図である。図２は、図１の含油廃水処理装置における油吸着槽の斜視図である。図３は、図１の含油廃水処理装置における水流調整筒の斜視図である。図４は、図１の含油廃水処理装置における固形分貯留槽の斜視図である。
【００１３】
図１に示す本発明の第１実施例の含油廃水処理装置は、蓋５付き容器１内に、油吸着槽２と、固形分貯留槽３と、水流調整筒４を配置して、この中に含油廃水を流通させて浄化する基本構成である。
【００１４】
蓋５付き容器１の蓋中心部には、含油廃水の導入口６が設けられている。この導入口６には、ネジにより廃水導入管１３が取り付けられている。廃水導入管１３には、廃水の貯留槽に連結された配管１５が接続されている。
容器底面の中心付近には、廃水の排出口７が設けられている。この排出口７には、ネジにより廃水排出管に接続するジョイント１４が取り付けられている。廃水排出管はポンプと廃水の貯留槽に連結されており、廃水はポンプにより廃水貯留槽に再び戻される。
【００１５】
油吸着槽２は、油吸着剤１００を収容する金網製の槽であり、油分は金網製の槽壁面を透過して、槽内の油吸着剤１００に吸着される。
好適な油吸着剤としては、例えば、アブソープション社製の天然繊維系油吸着剤アブソーベントＷやＧＰ（いずれもフレーク状、パッド状など）を挙げることができる。
油吸着槽２の底部に垂直に至る中心部には、側壁面が金網製の（含油廃水）通路１２が形成されている。蓋５の導入口６から流入する含油廃水が、油吸着槽２の油吸着剤１００によってその流通が妨げられることのないように、含油廃水の通路１２が装置の上から下に直通するよう形成されている。
【００１６】
固形分貯留槽３には、その底面中心付近に水流の流通孔１０が設けられている。また、この槽３の外底面には、装置内での水流のよどみ生成や循環流通を確保する等のため、脚部１１が３本設けられている。
【００１７】
水流調整筒４は円筒状であり、その下端に脚部８が３本設けられている。固形分貯留槽３の内側に配置して含油廃水を装置内に通すと、水流が円筒下端の（脚部８の間の）隙間から出入りすることができ、浮遊性、沈殿性の固形物を水流調整筒４の外側の固形分貯留槽３内に集めることになる。
水流調整筒４はその円筒の上端に、油吸着槽２を上部に設置するための、支持部９が４カ所設けられている。
【００１８】
次に、この含油廃水処理装置により、下記条件で含油廃水の処理試験を行った。その処理性能及び作用について以下説明する。
１．処理装置についての条件
（１）装置（容器）の容量：約１０リットル
（２）油吸着剤：アブソーベントＷ（天然繊維系、フレーク状、アブソープション社製                  ）１５０．００ｇ
２．含油廃水についての条件
（１）含油廃水の組成：水１４５リットル＋サラダ油１５０ミリリットル＋固形分１４                        ０．１０ｇ
３．処理条件
（１）処理装置への含油廃水の流入速度：１００リットル／分
ジョイント１４に取り付けられている廃水排出管の途中に設置されているポンプが作動すると装置内部が減圧状態となり、含油廃水が廃水貯留槽から配管１５を通って前記含油廃水処理装置の含油廃水導入口６に導入される。流入した含油廃水は油吸着槽２の含油廃水通路１２を通って水流調整筒４内に流入し、一部はそのまま廃水排出口７を通って排出され、再度、廃水貯留槽に戻ってくる。他は、水流調整筒４内を満たしてオーバーフローし、固形分貯留槽３内を流通し、その脚部８の透き間などを通って、固形分貯留槽３内の水流調整筒４との間に固形分が溜まる。含油廃水が装置内に充満すると、上層部に浮いた油分が油吸着剤１００に吸着される。油分、固形分の除去された浄化廃水は、廃水排出口７から排出され、廃水の貯留槽に戻されて循環浄化される。
ポンプの作動により廃水貯留槽から配管１５を経て、本発明の前記含油廃水処理装置内への含油廃水の流通、循環を２時間行った。
浄化されて貯留層にたまった廃水は最終的には、下水等に流される。
運転１０分後と２時間後それぞれの含油廃水中の油分及び固形分の除去効率は次の通りであった。
＜結果＞
（１）処理済み廃水のヘキサン抽出量（ＪＩＳ  Ｋ０１０２−１９９３  ２４−２抽出法準拠）
運転１０分後：８００．０ｍｇ／リットル
運転２時間後：  ２６．６ｍｇ／リットル
（２）運転２時間後の処理済み廃水の固形分回収量
回収量：１３４．７５ｇ
回収率：１３４．７５×１００÷１４０．１０＝９６．２０％
なお、上記性能は凝集剤を併用することにより、更に改善することができる。
【００１９】
図５は、本発明の第２実施例の含油廃水処理装置の側断面図である。
図５に示す本発明の第２実施例の含油廃水処理装置は、蓋５付き容器１内に、油吸着槽２′と、この支持部材１６と、水流調整筒４′と、固形分貯留槽３を配置して、この中に含油廃水を流通させて浄化する基本構成である。
【００２０】
本実施例における油吸着槽２′は、含油廃水の通路１２′の形状が（底の抜けた）広口のコップ状であり、壁面すべてがパンチングにより多数の孔が設けられている。
油吸着槽２′のための支持部材１６は、２本の同じ長さのパイプを略コの字形に折り曲げて、平行する２つの両端同士をゴム製のリングで止めた構造であり、リングで止めた両端を起点としてＶ字形に開いて、Ｖ字上端に油吸着槽２′を乗せて支持する。
水流調整筒４′は下端部に３本の脚部８を備えた円筒であり、本実施例においては支持部材１６が使用されているため、第１実施例におけるものと異なり、油吸着槽２′を設置するための支持部９は設けられていない。
その他の構成はすべて、前記第１実施例におけるものと同じである。
【００２１】
【発明の効果】
以上説明した通り、本発明により初めて、含油廃水を排出する小規模事業所等において、廃水から油分や沈殿物、浮遊物などの固形分を効率的に除去して浄化する、構造の簡易な小型の装置を提供することが可能となった。
【図面の簡単な説明】
【図１】  本発明の第１実施例の含油廃水処理装置の側断面図である。
【図２】  図１の含油廃水処理装置における油吸着槽の斜視図である。
【図３】  図１の含油廃水処理装置における水流調整筒の斜視図である。
【図４】  図１の含油廃水処理装置における固形分貯留槽の斜視図である。
【図５】  本発明の第２実施例の含油廃水処理装置の側断面図である。
【符号の説明】
１  容器
２、２′  油吸着槽
３  固形分貯留槽
４、４′  水流調整筒
５  蓋
６  含油廃水の導入口
７  廃水の排出口
８  水流調整筒の脚部
９  水流調整筒の支持部
１０  水流の流通孔
１１  固形分貯留槽の脚部
１２、１２′  含油廃水の通路
１３  廃水導入管
１４  廃水排出管への接続ジョイント
１６  油吸着槽の支持部材
【図１】
0004401007.tif 000002
【図２】
0004401007.tif 000003
【図３】
0004401007.tif 000004
【図４】
0004401007.tif 000005
【図５】
0004401007.tif 000006